(57)【要約】 【課題】  植木鉢などに植栽されている植物に使用する園芸用名札や、商品タグとして使用される名札や、引き出物の手提げ袋に使用する名札等の棒状対象物に引っ掛けて装着する名札において、製造が容易で且つ外れ難い構造の物品を提供する。【解決手段】  薄片物で形成された表示部１に連続して設けた掛け止め部２を、二つ折り可能に形成し、且つ二つ折り状態で合致する二つの装着孔２３ａ，２３ｂを形成すると共に、二つ折り状態で互いにずれている位置に外方より各装着孔に達する切れ目（差込部）２４ａ，２４ｂを設けてなる。【選択図】  図２
2005181517.tif 000002
【特許請求の範囲】
【請求項１】
薄片物で形成された表示部に連続して設けた掛け止め部を、二つ折り可能に形成し、且つ二つ折り状態で合致する二つの装着孔を形成すると共に、二つ折り状態で互いにずれている位置に外方より各装着孔に達する差込部を設けてなることを特徴とする名札。
【請求項２】
掛け止め部を二つ折り状態とした際の表裏の差込部を対向位置に設けてなる請求項１記載の名札。
【請求項３】
差込部を切れ目としてなる請求項１又は２記載の名札。
【請求項４】
掛け止め部を二つ折り状態にして表示部を下方にした際に、ハの字状となる位置に切れ目を設けた請求項３記載の名札。
【発明の詳細な説明】
【技術分野】
【０００１】
本発明は、主として植木鉢などに植栽されている植物に使用する園芸用名札や、商品タグとして使用される名札や、引き出物の手提げ袋に使用する名札等、種々の場面で使用される棒状部分に装着する名札に関するものである。
【背景技術】
【０００２】
植物の枝に装着する園芸用名札、お玉のような柄を備えた台所用品における柄に装着する商品タグ、手提げ袋の紐状取手に装着する名札のように、細棒状物に装着する名札は、適宜な装着手段を備えている。
【０００３】
例えば紙やプラスチック板のような薄片物で形成され、必要とする情報を表示した表示部分に透孔を穿設し、当該透孔に結着用紐を結び付けておき、当該装着対象に紐で結着する構造や、表示部分から突出した鍵状の引っ掛け部を備えた構造や、表示部分から突出したり又は連続した箇所に装着孔を形成すると共に、当該装着孔に差込用の切れ目を設けた構造等が知られている（特許文献１，２，３）。
【０００４】
【特許文献１】実開昭６１−３３０７２号公報。
【特許文献２】実用新案登録第３０６９７７５号公報。
【特許文献３】特許第２８６６９６５号公報。
【発明の開示】
【発明が解決しようとする課題】
【０００５】
前記の結着用紐を採用している名札においては、名札に紐を取り付けておかなければならなく、製造上の煩雑さがあり、しかも装着対象への取り付けに際しても煩雑さがある。
また前記特許文献１に開示されている装着孔と装着孔への差込部（切れ目）を設けた装着構造では、薄片物を所定の形状に切り抜くのみで名札を製造ができ、製造は容易であるが、外れ易いという問題がある。即ち風などによって名札が動揺したり、人の手に触れて、名札に対して差込部方向への力が作用すると容易に外れてしまう。
【０００６】
更に特許文献２記載の名札のように、表裏２枚構造として装着孔を表裏二重にしても、また特許文献３記載の名札のように、装着孔を上下二段構造としても、当該装着孔への差込方向が同一であれば、前記した単一装着孔の場合と同様に外れ易い。
【０００７】
そこで本発明は、製造が容易で且つ外れ難い名札を提案したものである。
【課題を解決するための手段】
【０００８】
本発明に係る名札は、薄片物で形成された表示部に連続して設けた掛け止め部を、二つ折り可能に形成し、且つ二つ折り状態で合致する二つの装着孔を形成すると共に、二つ折り状態で互いにずれている位置に外方より各装着孔に達する差込部を設けてなることを特徴とするものである。
【０００９】
而して掛け止め部を予め二つ折り状態として、棒状の装着対象に対して、各差込部から各装着孔へ差し入れて名札を掛け止めすると、表裏の二枚に重なった状態では、一方の差込部位置には他方の装着孔の周囲部分で塞がれることになるので、風等で名札が動揺しても枝から外れることが無い。
【発明の効果】
【００１０】
本発明は以上の構成を採用することで、単なる型抜きで容易に製造できると共に、植物の枝等への装着が容易に行うことができ、而も外れ難いとう利点がある。
【発明を実施するための最良の形態】
【００１１】
次に本発明の実施形態について説明する。実施形態は、園芸用名札について例示したものである。
【００１２】
園芸用名札は、所定の強度を有する防水紙やＰＰ薄板で形成したもので、植物名、栽培方法等必要とする事項を印刷した表示部１と、表示部１と連続して形成される掛け止め部２とを備えたものである。
【００１３】
掛け止め部２は、適宜な折れ線２１から二つ折り可能としたもので、折れ線２１を挟んで設けた掛け止め片部２２ａ，２２ｂに、折れ線２１で二つ折りした際に合致する装着孔２３ａ，２３ｂを各々形成する。更に前記掛け止め片２２ａ，２２ｂに、二つ折り状態で表示部を下方にした際に、掛け止め片部２２ａ，２２ｂの外周部分と装着孔２３ａ，２３ｂと連通する切れ目（差込部）２４ａ，２４ｂを、互いにハの字状となる位置に設けたものである。
【００１４】
而して折れ線２１から掛け止め片部２２ａ，２２ｂを二つ折りとし、名札を装着すべき植物の枝Ａを、切れ目２４ａ，２４ｂを通して装着孔２３ａ，２３ｂ内に位置せしめることで、名札が植物に取り付けられるものである。
【００１５】
特に二つ折りで表裏に配置された状態となり、表面側の切れ目２４ａの方向に名札が移動されるような作用を受けても、裏面側の掛け止め片部２２ｂによって切れ目２４ａから枝が抜け出ることが無く、また裏面の切れ２４ｂについても同様であり、結果的に一旦装着すると、意識的に取り外さない限り名札が外れることがない。
【００１６】
また特に切れ目２４ａ，２４ｂを、ハの字状となる位置に設けることによって、表示部１の自重で名札がぶら下げられると、掛け止め片が単独の場合の従来の名札でも外れ難いので、二重にした本発明では更に抜け難くなるものである。
【００１７】
尚本発明は前記実施形態に限定されるものではなく、表示部と掛け止め部の大小や使用素材は、使用対象に対応して任意に選択できるものであり、構造的にも掛け止め部を構成する掛け止め片が図示した通り上下方向に連続せずに、上方に突設した一方の掛け止め片部の側方に連続させて、前記例のような横折り返しとせずに縦二つ折り構造を採用しても良い。
【００１８】
更に差込部も前記の切れ目に限定されるものではなく、その位置は互いにずれて、一方の差込部から装着対象物が抜け出るのを他方の掛け止め片部が阻止するものであれば良いし、特に対向位置に形成すると、互いの差込部の位置が遠くなるので、より外れ難くなる。
【００１９】
また差込部の形状も、前記した実施形態の切れ目に代えて、例えば鍵形状の開口部のような幅広の差込部構造を採用しても良い。
【図面の簡単な説明】
【００２０】
【図１】本発明の実施形態の正面図。
【図２】同掛け止め部を二つ折りとした斜視図。
【図３】同使用状態の説明図。
【図４】同装着状態の説明図。
【符号の説明】
【００２１】
１              表示部
２              掛け止め部
２１            折れ線
２２ａ，２２ｂ  掛け止め片部
２３ａ，２３ｂ  装着孔
２４ａ，２４ｂ  切れ目（差込部）
【図１】
2005181517.tif 000003
【図２】
2005181517.tif 000004
【図３】
2005181517.tif 000005
【図４】
2005181517.tif 000006